(57)【要約】【課題】線膨張係数が異なる天板と樹脂製ガイド部材とを固着するものでありながら、温度変化による熱膨張・収縮の影響により樹脂製ガイド部材が熱膨張した場合でも、当該樹脂製ガイド部材に変形や破損が生じることのないディスク搬送機構を得ることにある。【解決手段】装置筐体１の天板４に、ディスク搬送ローラ６との間でディスクＤを挟持して当該ディスクＤを搬送方向にガイドする横長の樹脂製ガイド部材７を設けたディスク搬送機構において、天板４に樹脂製ガイド部材７を取り付けるためのガイド取付穴８，９を設け、樹脂製ガイド部材７にはガイド取付穴８，９に対する嵌合部７ａを設け、この嵌合部７ａをガイド取付穴８，９に嵌合固定させて当該ガイド取付穴８，９の長手方向端面と前記嵌合部の長手方向端面との間にクリアランス１１を設けたものである。【選択図】図１
2007207309.tif 000002
【特許請求の範囲】
【請求項１】
ディスク搬送ローラとの間でディスクを挟持して当該ディスクを搬送方向にガイドする横長の樹脂製ガイド部材を装置筐体の天板に設けたディスク搬送機構において、前記天板に前記樹脂製ガイド部材を取り付けるためのガイド取付穴を設けると共に、前記樹脂製ガイド部材には前記ガイド取付穴に対する嵌合部を設け、この嵌合部を前記ガイド取付穴に嵌合固定させて当該ガイド取付穴の長手方向端面と前記嵌合部の長手方向端面との間にクリアランスを設けたことを特徴とするディスク搬送機構。
【請求項２】
天板のガイド取付穴を樹脂製ガイド部材の嵌合部よりも長く形成し、前記ガイド取付穴の長手方向両端と前記嵌合部の長手方向両端との間にクリアランスを形成したことを特徴とする請求項１記載のディスク搬送機構。
【請求項３】
天板には樹脂製ガイド部材取付領域の中央部を挟む左右両側にガイド取付穴を設け、前記ガイド取付穴のそれぞれに左右の樹脂製ガイド部材の嵌合部が個々に嵌合固定されて各樹脂製ガイド部材の長手方向全長に亘る下部が前記天板の下面から突出しており、それらの突出部は、前記天板の両端側から中央部に向かって漸次薄肉となる方向に傾斜した傾斜突部からなっていることを特徴とする請求項１または請求項２記載のディスク搬送機構。
【請求項４】
樹脂製ガイド部材上に嵌合部と係上突起が一体成形され、天板には前記嵌合部及び係止突起をアウトサートする断面テーパ形状の取付穴が設けられ、この取付穴にアウトサートされた前記嵌合部及び係止突起の先端が前記天板の上面と画一となるように面打ち成形されていることを特徴とする請求項３記載のディスク搬送装置。
【発明の詳細な説明】
【技術分野】
【０００１】
この発明は、例えば車載用のディスク装置において、ディスク搬送ローラとの間でディスクを挟んで当該ディスクを搬送方向にガイドする樹脂製ガイド部材を備えたディスク搬送機構に関するものである。
【背景技術】
【０００２】
従来のディスク搬送機構として、樹脂製ガイド部材とディスク搬送ローラとを僅かな隙間を存して配置し、それらの両者間でディスクを挟持して当該ディスクを前記ディスク搬送ローラの回転力で搬送するように構成されたものは既に知られている（例えば、特許文献１参照）。このようなディスク搬送機構においては、ディスク装置の装置筐体の上面を覆う板金製の天板に前記樹脂製ガイド部材をアウトサート成形または熱溶着する場合、前記天板に横長のガイド取付穴を設け、このガイド取付穴の全域に亘って樹脂材を充填または熱溶着することで、板金製の天板と樹脂製ガイド部材とを一体的に固着した構成とするのが一般的である。
【０００３】
【特許文献１】特開２０００−５７６６５号公報（［００１７］〜［００２３］、図５）
【発明の開示】
【発明が解決しようとする課題】
【０００４】
特許文献１に開示された従来のディスク搬送機構は以上のように構成されているので、板金製の天板に樹脂製ガイド部材をアウトサート成形または熱溶着する構成とした場合、前記天板に設けられたガイド取付穴の全域に樹脂が充填された状態となるため、板金製の天板と樹脂製ガイド部材とでは両者の線膨張係数が異なることから、周囲の温度変化による熱膨張・収縮の影響により、特に前記樹脂製ガイド部材の長手方向において、当該樹脂製ガイド部材と前記天板が熱膨張した場合、両者の線膨張係数の差によってその天板と樹脂製ガイド部材が干渉して樹脂製ガイド部材が変形または破損するという課題があった。
【０００５】
この発明は上記のような課題を解決するためになされたもので、線膨張係数が異なる天板と樹脂製ガイド部材とを固着するものでありながら、温度変化による熱膨張・収縮の影響により樹脂製ガイド部材が熱膨張した場合でも、当該樹脂製ガイド部材が天板と干渉しないようにして樹脂製ガイド部材の熱膨張による変形や破損を防止することができるディスク搬送機構を得ることを目的とする。
【課題を解決するための手段】
【０００６】
この発明に係るディスク搬送機構は、ディスク搬送ローラとの間でディスクを挟持して当該ディスクを搬送方向にガイドする横長の樹脂製ガイド部材を装置筐体の天板に設けたディスク搬送機構において、前記天板に前記樹脂製ガイド部材を取り付けるためのガイド取付穴を設けると共に、前記樹脂製ガイド部材には前記ガイド取付穴に対する嵌合部を設け、この嵌合部を前記ガイド取付穴に嵌合固定させて当該ガイド取付穴の長手方向端面と前記嵌合部の長手方向端面との間にクリアランスを設けたものである。
【発明の効果】
【０００７】
この発明によれば、天板のガイド取付穴に樹脂製ガイド部材を嵌合固定したディスク搬送機構において、前記ガイド取付穴の長手方向端面と、このガイド取付穴の嵌合固定された樹脂製ガイド部材の嵌合部における長手方向端面との間にクリアランスを設けるように構成したので、前記天板とは線膨張係数が異なる前記樹脂製ガイド部材が温度変化により長手方向に熱膨張しても、当該樹脂製ガイド部材の前記ガイド取付穴への嵌合部における長手方向の端面には前記クリアランスが確保されているため、前記天板と樹脂製ガイド部材とが干渉するようなことがなくなって、前記樹脂製ガイド部材の変形や破損を防止することができるという効果がある。
【発明を実施するための最良の形態】
【０００８】
実施の形態１．
図１はこの発明の実施の形態１によるディスク搬送機構を備えたディスク再生装置を天板取り外し状態で示す斜視図、図２はディスク搬送時のディスク搬送機構を部分的に示す概念的な構成説明図、図３は図１中の天板の平面図、図４は図３の裏面図、図５は図３のＡ−Ａ線，Ｃ−Ｃ線に沿った拡大断面図、図６は図３のＢ−Ｂ線に沿った拡大断面図である。
図１に示すディスク再生装置は、ディスク再生機構２を内蔵して前面にディスク挿排口（図示せず）を有する装置筐体１と、この装置筐体１の前面側内部に配置されたディスク搬送用のローラユニット３と、前記装置筐体１の上面を覆う板金製の天板４とを備えている。
【０００９】
前記ローラユニット３は、前記ディスク挿排口から挿入されたディスクＤ（図２参照）に下方から圧接させる方向へバネ部材（図示せず）で付勢されたベースローラ（ベース部材）５と、このベースローラ５にベアリング部材（図示せず）を介して回転自在に支持されたディスク搬送ローラ６とを備え、そのディスク搬送ローラ６がモータ（図示せず）で回転駆動されるようになっている。
【００１０】
一方、前記天板４には、前記ディスク搬送ローラ６との間でディスクＤを挟持して当該ディスクＤを所定の搬送方向にガイドする平面横長形状をなした複数の樹脂製ガイド部材７がアウトサート成形により固着されている。そのアウトサート成形に際して、前記天板４には、図３および図４に示すように、当該天板４における前記ディスク搬送ローラ６との対応領域（樹脂製ガイド部材７の取付領域）の中央部を挟む左右両側で同列長手方向および平面ほぼ逆ハ字状に隣り合う複数（樹脂製ガイド部材７と同数）のガイド取付穴８，９と、前述のように隣り合う左右のガイド取付穴８，９におけるそれぞれの遠位端延長方向に位置する係止穴１０とが設けられている。また、前記各ガイド取付穴８，９はそれぞれが平面横長矩形状に形成され、それらのガイド取付穴８，９に前記樹脂製ガイド部材７のそれぞれが個々にアウトサートされるようになっている。
【００１１】
前記各樹脂製ガイド部材７は、図６に示すように、それぞれの上部長手方向に形成されて前記ガイド取付穴８，９にアウトサートされる平面横長矩形状の嵌合部７ａと、前記天板４の係止穴１０にアウトサートされる係止突起７ｂとを一体に有している。そして、前記嵌合部７ａを前記ガイド取付穴８、９にアウトサートした状態では前記各樹脂製ガイド部材７の下部長手方向全域が天板４の下面から突出する下向きの突出部７ｃとして形成されている。この突出部７ｃは、前記ガイド取付穴８，９の場合と同様に隣り合う左右の樹脂製ガイド部材７におけるそれぞれの遠位端側から前記天板４の中央部に向かって漸次薄肉となる方向に傾斜した傾斜突部からなっている。
【００１２】
ここで、前記樹脂製ガイド部材７の上部の嵌合部７ａは、図６に示すように、その長手方向の全長Ｌ１が前記ガイド取付穴８，９の個々の長手方向全長Ｌ２よりも短く形成されている。したがって、樹脂製ガイド部材７の嵌合部７ａを天板４のガイド取付穴８，９にアウトサートすることにより、当該ガイド取付穴８，９のそれぞれの長手方向両端面と前記嵌合部７ａの長手方向両端面との間にはクリアランス１１が形成される。また、前記係止穴１０は、図５および図６に示すように天板４の上面開口側の内周縁部がテーパー状に形成されている。その係止穴１０にアウトサートされた前記係止突起７ｂの先端は前記天板４の上面と面一になるように面打ち成形されることで、その面打ち成形部によって、前記係止突起７ｂが前記係止穴１０から抜けないように構成されている。なお、前記ガイド取付穴の長辺部においても上面開口側の内縁部が同様なテーパ状に形成されており、前記嵌合部７ａが前記ガイド穴８，９から抜けない構成となっている。
【００１３】
以上説明した実施の形態１によれば、装置筐体１内に配置されたディスク搬送ローラ６と、前記装置筐体１の天板４に設けられて前記ディスク搬送ローラ６との間でディスクＤを挟持して所定の搬送方向にガイドする横長の樹脂製ガイド部材７とを備えたディスク搬送機構において、前記天板４に前記樹脂製ガイド部材７を取り付けるためのガイド取付穴８，９を、かつ前記樹脂製ガイド部材７には前記ガイド取付穴８，９に嵌合固定される嵌合部７ａをそれぞれ設け、その嵌合部７ａの長手方向の長さＬ１を前記ガイド取付穴８，９の長手方向の長さＬ２よりも短く設定して前記ガイド取付穴８，９に前記嵌合部７ａをアウトサートにより嵌合固定させることで、当該嵌合部７ａの長手方向両端面と前記ガイド取付穴８，９の長手方向両端面との間にクリアランス１１が設けられるように構成したので、温度変化による板金製の天板４と樹脂製ガイド部材７との線膨張係数の差で前記樹脂製ガイド部材７が熱膨張しても、当該樹脂製ガイド部材７は長手方向両端面のクリアランス１１によって前記天板４と干渉するようなことがなくなって変形したり破損したりするのを抑制できるという効果がある。
【００１４】
ここで、温度変化による材料の熱膨張の影響は「材料のもつ線膨張係数×温度変化×長さ」で算出されるため、材料の長手方向に対して大きく影響するが、前述したように実施の形態１では、板金製の天板４のガイド取付穴８，９にアウトサートされた樹脂製ガイド部材７の嵌合部７ａの長手方向両端にクリアランス１１が確保されるため、温度変化による樹脂製ガイド部材７の変形や破損を防止することができる。
【００１５】
また、前記実施の形態１では、天板４のガイド取付穴８，９にアウトサートされた横長の樹脂製ガイド部材７を前記天板４の中央部に向かって漸次薄肉となるように形成し、その樹脂ガイド部材に設けられた嵌合部７ａと係止突起７ｂが嵌挿される前記ガイド取付穴８，９の長辺部および係止穴１０を天板４の上面開口部側周縁部が漸次体径となるテーパ状に形成し、それらの穴にアウトサートされて当該ガイド取付穴８，９および係止穴１０から上方に突出する前記嵌合部７ａと係止突起７ｂの先端を前記天板４の上面と画一になるように面打ち成形するように構成したので、前記天板４にアウトサートされた樹脂ガイド部材７が前記ガイド穴８，９、係止穴１０から抜けるのを、前記嵌合部７ａおよび前記係止突起７ｂ先端の面打ち成形部によって確実に抑制することができるという効果がある。
【００１６】
さらには、前述のように樹脂ガイド部材の嵌合部７ａ及び係止突起７ｂの先端が天板４の上面と画一に成形されることによって、当該天板４上に別部品を配置したり這わせたりすることが可能になるという効果がある。
【図面の簡単な説明】
【００１７】
【図１】この発明の実施の形態１によるディスク搬送機構を備えたディスク再生装置を天板取り外し状態で示す斜視図である。
【図２】ディスク搬送時のディスク搬送機構を部分的に示す概念的な構成説明図である。
【図３】図１中の天板の平面図である。
【図４】図３の裏面図である。
【図５】図５（ａ）は図３のＡ−Ａ線，Ｃ−Ｃ線に沿った拡大断面図、図５（ｂ）は図５（ａ）の分解断面図である。
【図６】図３のＢ−Ｂ線に沿った拡大断面図である。
【符号の説明】
【００１８】
１  装置筐体、２  ディスク再生機構、３  ローラユニット、４  天板、５  ベースローラ（ベース部材）、６  ディスク搬送ローラ、７  樹脂製ガイド部材、７ａ  嵌合部、７ｂ  係止突起、７ｃ  突出部、８，９  ガイド取付穴、１０  係止穴、１１  クリアランス、Ｄ  ディスク。
【図１】
2007207309.tif 000003
【図２】
2007207309.tif 000004
【図３】
2007207309.tif 000005
【図４】
2007207309.tif 000006
【図５】
2007207309.tif 000007
【図６】
2007207309.tif 000008